(57)【要約】【課題】  複数の病院間で医用画像情報を共有する場合、各々の病院で自由に付した患者ＩＤや検査ＩＤでも正しく登録でき、患者の間違いや画像登録不能のない画像情報処理装置、画像情報処理方法及び医用画像情報処理システムを提供する。【解決手段】  この画像情報処理方法は、医用画像を保存し管理し、他装置内の医用画像を入力し登録するものであって、他装置内医用画像を入力する際に、保存済医用画像と他装置内医用画像との予め決められた画像付帯情報同士を比較し、比較結果に基づいて他装置内医用画像を適切に登録し管理できるように付帯情報を自動的に変更する。【選択図】  図４
2006192057.tif 000002
【特許請求の範囲】
【請求項１】
医用画像を保存し管理する保存手段を備え、他装置内の医用画像を入力し前記保存手段に登録する画像情報処理装置であって、
他装置内医用画像を入力する際に、前記保存手段に保存された保存済医用画像と前記他装置内医用画像との予め決められた画像付帯情報同士を比較する手段と、
前記比較結果に基づいて前記他装置内医用画像を適切に登録し管理できるように前記付帯情報を自動的に変更する手段と、を備えることを特徴とする画像情報処理装置。
【請求項２】
医用画像を保存し管理する保存手段を備え、他装置内の医用画像を入力し前記保存手段に登録する画像情報処理装置であって、
他装置内医用画像を入力する際に、前記保存手段に保存された保存済医用画像と前記他装置内医用画像との予め決められた画像付帯情報同士を比較する手段と、
前記比較結果に基づいて前記他装置内医用画像を適切に登録し管理できるような前記付帯情報の変更候補を自動的に表示する手段と、
前記表示結果に基づいて前記付帯情報の変更指示を行う操作手段と、を備えることを特徴とする画像情報処理装置。
【請求項３】
前記他装置内医用画像をオンラインで入力することを特徴とする請求項１または２に記載の画像情報処理装置。
【請求項４】
前記他装置内医用画像をオフラインで入力することを特徴とする請求項１または２に記載の画像情報処理装置。
【請求項５】
前記医用画像及び／又は前記付帯情報について更新・変更・追加・削除の少なくともいずれかが実行された場合、前記医用画像及び／又は前記付帯情報を前記他の装置へ戻すとき、前記登録のために変更した情報のみを元に戻す手段を備えることを特徴とする請求項１乃至４のいずれか１項に記載の画像情報処理装置。
【請求項６】
医用画像を保存し管理し、他装置内の医用画像を入力し登録する画像情報処理方法であって、
他装置内医用画像を入力する際に、保存済医用画像と前記他装置内医用画像との予め決められた画像付帯情報同士を比較し、
前記比較結果に基づいて前記他装置内医用画像を適切に登録し管理できるように前記付帯情報を自動的に変更することを特徴とする画像情報処理方法。
【請求項７】
医用画像を保存し管理し、他装置内の医用画像を入力し登録する画像情報処理方法であって、
他装置内医用画像を入力する際に、保存済医用画像と前記他装置内医用画像との予め決められた画像付帯情報同士を比較し、
前記比較結果に基づいて前記他装置内医用画像を適切に登録し管理できるような前記付帯情報の変更候補を自動的に表示し、
前記表示結果に基づいて前記付帯情報の変更指示が行われることを特徴とする画像情報処理方法。
【請求項８】
前記他装置内医用画像をオンラインで入力することを特徴とする請求項６または７に記載の画像情報処理方法。
【請求項９】
前記他装置内医用画像をオフラインで入力することを特徴とする請求項６または７に記載の画像情報処理方法。
【請求項１０】
前記医用画像及び／又は前記付帯情報について更新・変更・追加・削除の少なくともいずれかが実行された場合、前記登録のために変更した情報のみを元に戻してから前記医用画像及び／又は前記付帯情報を前記他の装置へ出力することを特徴とする請求項６乃至９のいずれか１項に記載の画像情報処理方法。
【請求項１１】
請求項１乃至５のいずれか１項に記載の画像情報処理装置と、前記他装置と、を含むことを特徴とする医用画像情報処理システム。
【請求項１２】
前記画像情報処理装置と前記他装置が別の病院に設置されていることを特徴とする請求項１１に記載の医用画像情報処理システム。
【発明の詳細な説明】
【技術分野】
【０００１】
本発明は、他装置内の医用画像を入力し保存し登録する画像情報処理装置、画像情報処理方法及び医用画像情報処理システムに関するものである。
【背景技術】
【０００２】
従来、医用画像に付帯する情報、例えば患者ＩＤや検査ＩＤ等は、各々の病院で別々に管理、登録されているのが普通である。一方、下記特許文献１のように、ＬＡＮ及び電話回線などで接続されている複数の医療機関間の病診連携管理システムにおける情報共有化を実現するために、患者の医療情報を共有するファイルサーバに医療情報を登録し、患者の医療情報を出力する場合に制限した患者情報のみを出力し、病診連携管理システムに新たに医療機関を追加登録するようにした病診連携管理システムの情報共有化方法が提案されている。
【０００３】
しかし、病院間で医用画像情報を統合し共有しようとしても患者ＩＤや検査ＩＤは別々に管理されているので、そのままでは、データ不整合が起こり、同一患者／同一検査に違う人が登録されたり、逆に、同じ人なのに違う場所に登録されたり、更に、登録さえもできないことがある。この対策として、病院毎に患者ＩＤに固定の接頭字を付ける等により上記問題を回避しようとしている。
【０００４】
しかしながら、病院毎に患者ＩＤに固定の接頭字を付ける等しても、患者ＩＤが違うと、表示時には別患者との認識となるため、過去画像の表示や比較などが行い難くなり、また画像検索も困難となる。また、特許文献１のような情報共有サーバは、初めから登録を開始する場合や共有する各病院間で各々の装置が同一機器や同一メーカでないと、現実的には実現が困難となり、また、各々の病院には蓄えられた膨大な数の過去の医用画像が存在し、それらの登録が必要となるが、再登録のための作業は多大な時間・コストを要し現実的ではなく、困難である。
【０００５】
また、画像保存管理装置（画像サーバ）から他の画像保存管理装置に画像登録をする場合、必要な変更はメーカ側でしかできなく、時間も要してしまう。また、変更ソフトがあったとしても、ユーザは、どう直せば正しく登録管理できるデータになるか分からない。
【特許文献１】特開２００２−１８３３１９号公報
【発明の開示】
【発明が解決しようとする課題】
【０００６】
本発明は、上述のような従来技術の問題に鑑み、複数の病院間で医用画像情報を共有する場合、各々の病院で自由に付した患者ＩＤや検査ＩＤでも正しく登録でき、患者の間違いや画像登録不能のない画像情報処理装置、画像情報処理方法及び医用画像情報処理システムを提供することを目的とする。
【課題を解決するための手段】
【０００７】
上記目的を達成するために、本発明による画像情報処理装置は、医用画像を保存し管理する保存手段を備え、他装置内の医用画像を入力し前記保存手段に登録する画像情報処理装置であって、他装置内医用画像を入力する際に、前記保存手段に保存された保存済医用画像と前記他装置内医用画像との予め決められた画像付帯情報同士を比較する手段と、前記比較結果に基づいて前記他装置内医用画像を適切に登録し管理できるように前記付帯情報を自動的に変更する手段と、を備えることを特徴とする。
【０００８】
この画像情報処理装置によれば、保存済医用画像と他装置内医用画像の付帯情報同士を比較し、違っていた場合には他装置内医用画像の付帯情報を自動的に変更できるので、例えば各々の病院で、自由に付した患者ＩＤや検査ＩＤでも、正しく登録できるので、患者取り間違いや画像登録不能がなくなる。また、同じ患者は、別病院で違う番号で登録されていても、統一して扱えるとともに、これまでの過去画像や情報を簡便に取り出すことができる。また、同一メーカ機器や過去のデータ付番運用によらないので、これまでに保存された膨大な情報を無駄にしなくて済む。また、ユーザが行うことによって生じる可能性のある修正ミスや保存された膨大なデータを修正する作業時間が低減される。
【０００９】
本発明による別の画像情報処理装置は、医用画像を保存し管理する保存手段を備え、他装置内の医用画像を入力し前記保存手段に登録する画像情報処理装置であって、他装置内医用画像を入力する際に、前記保存手段に保存された保存済医用画像と前記他装置内医用画像との予め決められた画像付帯情報同士を比較する手段と、前記比較結果に基づいて前記他装置内医用画像を適切に登録し管理できるような前記付帯情報の変更候補を自動的に表示する手段と、前記表示結果に基づいて前記付帯情報の変更指示を行う操作手段と、を備えることを特徴とする。
【００１０】
この画像情報処理装置によれば、保存済医用画像と他装置内医用画像の付帯情報同士を比較し、違っていた場合には他装置内医用画像の付帯情報の変更候補を自動的に表示し、その表示結果により変更指示を行い、付帯情報を変更できるので、例えば各々の病院で、自由に付した患者ＩＤや検査ＩＤでも、正しく登録できるので、患者取り間違いや画像登録不能がなくなる。また、同じ患者は、別病院で違う番号で登録されていても、統一して扱えるとともに、これまでの過去画像や情報を簡便に取り出すことができる。また、同一メーカ機器や過去のデータ付番運用によらないので、これまでに保存された膨大な情報を無駄にしなくて済む。また、ユーザが行うことによって生じる可能性のある修正ミスや保存された膨大なデータを修正する作業時間が低減される。また、付帯情報の変更候補の表示結果に基づきユーザが変更指示を行うことができるので、例えば、ユーザが特定の画像や画像群のみ、変更せずにそのまま登録したい場合等に対応できる。
【００１１】
上記各画像情報処理装置において前記他装置内医用画像をＬＡＮやインターネットのようなオンラインで入力することができる。また、可搬性の記憶媒体等を用いてオフラインで入力するようにしてもよい。
【００１２】
また、前記医用画像及び／又は前記付帯情報について更新・変更・追加・削除の少なくともいずれかが実行された場合、前記医用画像及び／又は前記付帯情報を前記他の装置へ戻すとき、前記登録のために変更した情報のみを元に戻す手段を備えることが好ましい。これにより、他の装置に医用画像・付帯情報を戻すときに変更前の状態で他の装置に登録できる。
【００１３】
本発明による画像情報処理方法は、医用画像を保存し管理し、他装置内の医用画像を入力し登録する画像情報処理方法であって、他装置内医用画像を入力する際に、保存済医用画像と前記他装置内医用画像との予め決められた画像付帯情報同士を比較し、前記比較結果に基づいて前記他装置内医用画像を適切に登録し管理できるように前記付帯情報を自動的に変更することを特徴とする。
【００１４】
この画像情報処理方法によれば、保存済医用画像と他装置内医用画像の付帯情報同士を比較し、違っていた場合には他装置内医用画像の付帯情報を自動的に変更できるので、例えば各々の病院で、自由に付した患者ＩＤや検査ＩＤでも、正しく登録できるので、患者取り間違いや画像登録不能がなくなる。また、同じ患者は、別病院で違う番号で登録されていても、統一して扱えるとともに、これまでの過去画像や情報を簡便に取り出すことができる。また、同一メーカ機器や過去のデータ付番運用によらないので、これまでに保存された膨大な情報を無駄にしなくて済む。また、ユーザが行うことによって生じる可能性のある修正ミスや保存された膨大なデータを修正する作業時間が低減される。
【００１５】
本発明による別の画像情報処理方法は、医用画像を保存し管理し、他装置内の医用画像を入力し登録する画像情報処理方法であって、他装置内医用画像を入力する際に、保存済医用画像と前記他装置内医用画像との予め決められた画像付帯情報同士を比較し、前記比較結果に基づいて前記他装置内医用画像を適切に登録し管理できるような前記付帯情報の変更候補を自動的に表示し、前記表示結果に基づいて前記付帯情報の変更指示が行われることを特徴とする。
【００１６】
この画像情報処理方法によれば、保存済医用画像と他装置内医用画像の付帯情報同士を比較し、違っていた場合には他装置内医用画像の付帯情報の変更候補を自動的に表示し、その表示結果により変更指示を行い、付帯情報を変更できるので、例えば各々の病院で、自由に付した患者ＩＤや検査ＩＤでも、正しく登録できるので、患者取り間違いや画像登録不能がなくなる。また、同じ患者は、別病院で違う番号で登録されていても、統一して扱えるとともに、これまでの過去画像や情報を簡便に取り出すことができる。また、同一メーカ機器や過去のデータ付番運用によらないので、これまでに保存された膨大な情報を無駄にしなくて済む。また、ユーザが行うことによって生じる可能性のある修正ミスや保存された膨大なデータを修正する作業時間が低減される。また、付帯情報の変更候補の表示結果に基づきユーザが変更指示を行うことができるので、例えば、ユーザが特定の画像や画像群のみ、変更せずにそのまま登録したい場合等に対応できる。
【００１７】
上記画像情報処理方法において前記他装置内医用画像をＬＡＮやインターネットのようなオンラインで入力することができる。また、可搬性の記憶媒体等を用いてオフラインで入力するようにしてもよい。
【００１８】
また、前記医用画像及び／又は前記付帯情報について更新・変更・追加・削除の少なくともいずれかが実行された場合、前記登録のために変更した情報のみを元に戻してから前記医用画像及び／又は前記付帯情報を前記他の装置へ出力することが好ましい。これにより、他の装置に医用画像・付帯情報を戻すときに変更前の状態で他の装置に登録できる。
【００１９】
本発明の医用画像情報処理システムは、上述の画像情報処理装置と、前記他装置と、を含むことを特徴とする。この医用画像情報処理システムによれば、例えば各々の病院で、自由に付した患者ＩＤや検査ＩＤでも、正しく登録できるので、患者取り間違いや画像登録不能がなくなる。また、同じ患者は、別病院で違う番号で登録されていても、統一して扱えるとともに、これまでの過去画像や情報を簡便に取り出すことができる。また、同一メーカ機器や過去のデータ付番運用によらないので、これまでに保存された膨大な情報を無駄にしなくて済む。また、ユーザが行うことによって生じる可能性のある修正ミスや保存された膨大なデータを修正する作業時間が低減される。
【００２０】
上記医用画像情報処理システムにおいて前記画像情報処理装置と前記他装置が別の病院に設置されていてよい。なお、複数の他の装置が複数の別の病院に設置されていてもよい。
【発明の効果】
【００２１】
本発明の画像情報処理装置、画像情報処理方法及び医用画像情報処理システムによれば、複数の病院等の医療機関間で医用画像情報を共有する場合、各々の病院で自由に付した患者ＩＤや検査ＩＤ等の付帯情報でも正しく登録でき、患者の間違いや画像登録不能が生じない。
【発明を実施するための最良の形態】
【００２２】
以下、本発明を実施するための最良の形態について図面を用いて説明する。図１は本実施の形態による画像情報処理装置を含む医用画像情報処理システムを概略的に示すブロック図である。図２は図１の画像情報処理システムで扱う画像情報の構成を模式的に示す図である。
【００２３】
図１に示す医用画像情報処理システムは、医療機関で使用される各種部門システムの患者の医療情報の管理を行うもので、特にＬＡＮ・電話回線やオフラインで、患者の医療情報を共有する複数の医療機関間の病診連携管理を行うことが可能なものである。
【００２４】
図１の医用画像情報処理システムは、ＣＴ、ＭＲＩ、ＣＲ等のモダリテイ機器からなり撮影により医用画像を発生させる画像発生装置１と、医用画像情報を保存し管理し登録可能な画像情報処理装置４と、医用画像情報を保存し管理し登録する画像保存装置３と、画像情報処理装置４とは異なる他の画像情報処理装置２と、を含んで構成される。
【００２５】
図１において、画像保存装置３と他の画像情報処理装置２は、例えば、画像情報処理装置４の設置された病院とは異なる別の病院に設置されている。なお、画像発生装置１は画像情報処理装置４と同じ病院内に設置されている。
【００２６】
図１の医用画像情報処理システムでは、画像発生装置１、他の画像情報処理装置２、画像保存装置３はラインＡにより画像情報処理装置４と接続されており、各装置１〜３から医用画像情報が画像情報処理装置４に入力するとともに、画像情報処理装置４から医用画像情報が装置２，３に出力するようになっている。
【００２７】
図１における接続手段のラインＡは、特に制限はなく、電話線や専用線でもよいし、ネットワークによる接続でもよい。ネットワークは、例えば単一の病院内に敷設されたＬＡＮ(Local Area Network)であったり、ＬＡＮは、単一のＬＡＮセグメントで構成されても、ルータ（またはゲートウェイ）経由で相互接続された複数のＬＡＮセグメントで構成されてもよい。更に、ネットワークは、専用線等を介して遠隔の病院のＬＡＮどうしを接続して構成されるＷＡＮ(Wide Area Network)やインターネットのような広域ネットワークであってもよい。図１において、医用画像情報はＤＩＣＯＭ(Digital Imaging and COmmunications in Medicine)規格により通信が行われるようになっている。
【００２８】
また、画像情報処理装置４への医用画像情報の入力は、上述のようなラインＡによるオンライン入力の他、ＣＤ、ＤＶＤ、ＭＯ、ＦＤ等の各種の可搬性の記憶媒体によるオフライン入力としてもよい。
【００２９】
画像情報処理装置４は、パーソナルコンピュータから構成可能であり、図１のように、各装置１〜３から送信された医用画像情報を受信して入力し保存する受信入力・保存部１１と、その入力した医用画像情報を表示する液晶パネルやＣＲＴ等から構成される表示部１３と、ユーザが必要な動作を選択したり各種情報を入力するためのマウス等のポインティングデバイスやキーボード等からなる操作部１５と、登録済み付帯情報を検索し、入力した医用画像情報を登録するために登録済み付帯情報と比較し、その比較結果に基づいて入力した付帯情報を修正し変更する情報比較・修正部１４と、各装置２，３へ医用画像情報を出力する出力部１７と、を備える。医用画像情報には医用画像とその画像に関する付帯情報とが含まれている（図２参照）。
【００３０】
図１の画像情報処理装置４は、更に、情報比較・修正部１４で付帯情報を比較し修正し変更する際の比較・修正方法を予め設定する比較・修正方法設定部１２と、情報比較・修正部１４で登録のために変更した付帯情報についてその変更前の付帯情報を保存する変更前情報保存部１６と、を備える。
【００３１】
また、情報比較・修正部１４は、登録済み付帯情報を検索し、入力した医用画像情報を登録するために登録済み付帯情報と比較し、その比較結果に基づいて付帯情報の修正候補を表示部１３に表示させ、ユーザはその修正候補から適切な修正候補を選択し、例えば、表示部１３に表示された確認ボタンをマウス等で操作することとで、その選択した情報に変更できるように構成できる。なお、ユーザが上記表示された修正候補が適切でないと判断したときのために、ユーザが表示部１３上で操作部１５により修正候補を自由に変更できるように表示部１３の画面を構成してもよい。
【００３２】
次に、画像情報処理装置４に入力し、画像情報処理装置４から画像保存装置３へ出力される画像情報について図２を参照して説明する。図２のように、医用画像情報は、１画像単位で、画像データと、その画像に関する付帯情報とから構成され、画像データはサイズが通常、数百ＫＢ〜数十ＭＢ程度であり、付帯情報は氏名や患者ＩＤ等の患者情報と、検査ＩＤや検査部位や検査条件等の検査情報を含み、サイズが通常、数十ＫＢ程度である。１画像毎に、その付帯情報（患者検査情報）には、患者ＩＤ、検査ＩＤ／検査ＵＩＤ、シリーズ番号／シリーズＵＩＤ、画像番号／ＳＯＰインスタンスＵＩＤが含まれる。
【００３３】
次に、医用画像の通信プロトコルであるＤＩＣＯＭ(Digital Imaging and COmmunications in Medicine)規格での患者情報・検査情報の構造について図３を参照して説明する。図３はＤＩＣＯＭ規格による患者情報・検査情報の階層構造を模式的に示す図である。
【００３４】
図３のように、付帯情報は、患者情報及び検査情報を含み、患者ＩＤ→検査ＵＩＤ→シリーズＵＩＤ→ＳＯＰの順の階層構造を持つ。ここで、患者ＩＤとは患者を唯一に識別するためのＩＤ、検査ＵＩＤとは検査を唯一に識別するためのＩＤ、シリーズＵＩＤとはシリーズを唯一に識別するためのＩＤ、ＳＯＰインスタンスＵＩＤとは画像を唯一に識別するためのＩＤである。
【００３５】
図３において、患者ＩＤが患者氏名と一致していないと、エラーになる。検査ＵＩＤのユーザ・自動の入力は検査ＩＤで行われる。シリーズＵＩＤのユーザ・自動の入力はシリーズ番号で行われる。ＳＯＰのユーザ・自動の入力は画像番号で行われる。
【００３６】
実際の入力には、各ＩＤ（患者ＩＤ/検査ＩＤ/シリーズ番号/画像番号）にて管理されることが多い。「ＩＤ、番号」は、数字と文字で桁数も最大十数桁であり、ユーザはこちらを入力する（例：１２３４，Ａ０００１等）。「ＵＩＤ」は、数字とピリオドで最大６４桁と多く、ＩＤ、番号から機械的に作ることが多い（例：１．２．３４５６．７８９等）。
【００３７】
図１の情報比較・修正部１４では、予め決められた付帯情報について検索・比較を行うが、その付帯情報には、次のものがある。
・患者ＩＤ、検査ＩＤ、シリーズ番号、受付番号。
・検査ＵＩＤ、シリーズＵＩＤ、画像ＳＯＰインスタンスＵＩＤ。
・患者名、生年月日、性別。
【００３８】
上記の情報から、任意の１つ以上の組み合わせで情報を取り出し、検索・比較する。比較する際の情報の組み合わせは、比較・修正方法設定部１２で予め設定することができる。
【００３９】
通常、不正な文字が使われていないか、不正な文字列がないか、文字列の長さが指定通りか（短い/長い/固定等）のチェックが行われるが、しかし、「患者−検査−シリーズ−画像」で、各識別番号(識別のための情報でＩＤやＵＩＤ)が、既に本装置４に登録済みのものと不整合がないかは、入力されたデータと本装置４内のデータとを比較しないとチェックできない。
【００４０】
図３の階層構造で装置４側が管理されており、各ＵＩＤに違うものが割り当てられているのが正常な状態である。図１の他の装置２から送られてきた患者情報・検査情報が上記構造に基づいて装置４でチェックされ、患者情報・検査情報が例えば上記構造に合致しないと、図１の情報比較・修正部１４において修正の対象となる。例えば、次のような場合である。
【００４１】
（Ａ）次のように同じ検査ＵＩＤなのに、患者ＩＤが違う(同一の検査なのだから同じ患者のはず)。
（１）患者ＩＤ：２  検査ＵＩＤ：３（装置４に登録済のもの）
（２）患者ＩＤ：３  検査ＵＩＤ：３（他の装置２から入力したもの）
【００４２】
（Ｂ）次のように同じシリーズＵＩＤなのに、検査ＵＩＤが違う(同一のシリーズなのだから同じ検査のはず)
（３）検査ＵＩＤ：４  シリーズＵＩＤ：１２（装置４に登録済のもの）
（４）検査ＵＩＤ：６  シリーズＵＩＤ：１２（他の装置２から入力したもの）
【００４３】
次に、情報比較・修正部１４で付帯情報を修正し変更するために、比較・修正方法設定部１２で予め設定する修正方法について説明する。
【００４４】
この修正方法は、本装置４内の登録情報に矛盾がでないように予め決めておき、例えば、次のようにして修正する。
【００４５】
１．一定の桁数で運用している場合、桁数を増やす／減らす：「検査ＩＤ：０１２３」→「検査ＩＤ：１０１２３」等々
【００４６】
２．先頭あるいは最後に絶対に使われない文字を挿入する：「検査ＩＤ：０１２３」→「検査ＩＤ：Ａ０１２３」
【００４７】
３．修正する日付や時間を使う：「検査ＩＤ：０１２３」→「検査ＩＤ：４０９０１１４３０」
【００４８】
４．新たに番号をふり直す（重ならないような文字を使って）：「検査ＩＤ：０１２３」→「検査ＩＤ：Ｂ０００１」、次は「Ｂ０００２」
【００４９】
また、構造的には、上位の構造部分を変更した場合、下位構造に属する全ての画像に関して、同様の変更をしなければならないことがよく発生するが、次のようにして対処できる。
【００５０】
変更前：同じ検査、シリーズに２画像（ＳＯＰ１,ＳＯＰ２）があるパターン（各ＵＩＤまたは各ＩＤを変更）
（１）検査ＵＩＤ：１、シリーズＵＩＤ：１、ＳＯＰ：１
（２）検査ＵＩＤ：１、シリーズＵＩＤ：１、ＳＯＰ：２
【００５１】
変更後：（１）の画像を選び、検査ＵＩＤを１→２に変更
（３）検査ＵＩＤ：２、シリーズＵＩＤ：１、ＳＯＰ：１
（４）検査ＵＩＤ：１、シリーズＵＩＤ：１、ＳＯＰ：２←同じシリーズなのに、違う検査になってしまった。従って、次のように変更する。
【００５２】
変更後：ただしくは、
（５）検査ＵＩＤ：２、シリーズＵＩＤ：１、ＳＯＰ：１
（６）検査ＵＩＤ：２、シリーズＵＩＤ：１、ＳＯＰ：２←元々同じ検査なので自動的に反映した。
【００５３】
検査ＩＤが修正された場合、元画像が同じ検査の画像であれば、全てその検査ＩＤに自動的に修正する。このように、上位構造を変更した場合、それに伴い矛盾が生じないように下位構造の番号も自動的に変更する構成となっている。
【００５４】
また、上述のような変更前の患者ＩＤや検査ＩＤ等は、本装置４の変更前情報保存部１６に保存しておくことで、本装置４から逆に各々の病院の装置２，３に送ったとき登録できるように必要な情報を変更前の状態に戻すことができる。なお、変更前情報を変更した画像と画像付帯情報の一部に追加しておくようにすることで、変更前の状態に戻すようにしてもよい。
【００５５】
次に、図１の医用画像情報処理システムにおける画像情報処理装置４の動作について図４を参照して説明する。図４は図１の画像情報処理装置の動作を説明するためのフローチャートである。
【００５６】
まず、図１のように、ＬＡＮ、電話回線、ＷＡＮ、インターネットのようなオンライン、または、ＣＤ、ＤＶＤ、ＦＤ、ＭＯ等々によるオフラインメディアから医用画像及びその付帯情報を画像情報処理装置４の受信入力・保存部１１に入力する（Ｓ０１，Ｓ０２）。
【００５７】
次に、画像情報処理装置４の情報比較・修正部１４では、予め決められた検索・比較のための情報を入力された医用画像及び付帯情報から取り出し（Ｓ０３）、その情報から画像情報処理装置４の受信入力・保存部１１に同じ患者、検査の情報が保存され登録されているか否かを検索し比較して確認し（Ｓ０４）、ない場合は、そのまま受信入力・保存部１１に保存し登録する（Ｓ０５）。
【００５８】
同じ患者、検査の情報が登録されている場合は（Ｓ０４）、患者情報・検査情報に矛盾がでないように上述のようにして情報を変更し（Ｓ０６）、画像情報処理装置４の受信入力・保存部１１に登録する（Ｓ０７）。
【００５９】
登録後、医用画像や情報を表示部１３に表示させ、画像を修正したりプリントする（Ｓ０８）。このようにして、医用画像に基づいて診断を実施することが可能となる。
【００６０】
また、必要に応じ、診断やユーザが修正した画像や付帯情報を入力元の他の装置２に登録できるように必要な情報を変更し（Ｓ０９）、他の装置２に出力する（Ｓ１０）。
【００６１】
次に、図１の医用画像情報処理システムにおける画像情報処理装置４の別の動作について図５を参照して説明する。図５は図１の画像情報処理装置の別の動作を説明するためのフローチャートである。
【００６２】
図５の動作は、図４では同じ患者、検査の情報が登録されている場合はステップＳ０６で患者情報・検査情報に矛盾がでないように情報を自動的に変更したのに対し、矛盾がでないような情報の修正候補を表示し、ユーザが適宜選択できるようにしたものである。
【００６３】
まず、図１のように、ＬＡＮ、電話回線、ＷＡＮ、インターネットのようなオンライン、または、ＣＤ、ＤＶＤ、ＦＤ、ＭＯ等々によるオフラインメディアから医用画像及びその付帯情報を画像情報処理装置４の受信入力・保存部１１に入力する（Ｓ２１，Ｓ２２）。
【００６４】
次に、画像情報処理装置４の情報比較・修正部１４では、予め決められた検索・比較のための情報を入力された医用画像及び付帯情報から取り出し（Ｓ２３）、その情報から画像情報処理装置４の受信入力・保存部１１に同じ患者、検査の情報が保存され登録されているか否かを検索し比較して確認し（Ｓ２４）、ない場合は、そのまま受信入力・保存部１１に保存し登録する（Ｓ２５）。
【００６５】
同じ患者、検査の情報が登録されている場合は（Ｓ２４）、患者情報・検査情報に矛盾がでないような情報の候補を表示部１３に表示する（Ｓ２６）。ユーザは表示部１３に表示された情報から、変更すべき情報を確認して選択し、表示部１３上で情報の変更を指示することで（Ｓ２７）、付帯情報を変更し、画像情報処理装置４の受信入力・保存部１１に登録する（Ｓ２８）。このように、表示部１３に修正情報を表示し、ユーザが変更すべき情報を表示部１３上で確認し選択できるので、例えば、ユーザが特定の画像や画像群のみ、変更せずにそのまま登録したいなどに対応できる。
【００６６】
登録後、医用画像や情報を表示部１３に表示させ、画像を修正したりプリントする（Ｓ２９）。このようにして、医用画像に基づいて診断を実施することが可能となる。
【００６７】
また、必要に応じ、診断やユーザが修正した画像や付帯情報を入力元の他の装置２に登録できるように必要な情報を変更し（Ｓ３０）、他の装置２に出力する（Ｓ３１）。
【００６８】
以上のように、図１の医用画像情報処理システムによれば、複数の病院間で医用画像情報を共有する場合に、各々の病院で自由に患者ＩＤや検査ＩＤを付した場合でも、別の病院の装置２からの医用画像及び付帯情報を画像情報処理装置４に正しく登録できるので、患者取り間違いや画像登録不能がなくなる。また、同じ患者は別の病院で違う番号で登録されていても、統一して扱うことができるので、過去の医用画像や情報が簡便に取り出せ、過去の別病院での情報を新たな診断において利用することができる。
【００６９】
また、画像情報処理装置４は、同一メーカ機器や過去のデータ付番運用によらないので、これまでに保存された膨大な情報を無駄にしなくて済むとともに、ユーザが行うことによって生じる可能性のある修正ミスや保存された膨大なデータを修正する作業時間が低減される。
【００７０】
以上のように本発明を実施するための最良の形態について説明したが、本発明はこれらに限定されるものではなく、本発明の技術的思想の範囲内で各種の変形が可能である。例えば、本実施の形態の説明では、画像情報処理装置４は、他の画像情報処理装置２との間で医用画像及び付帯情報の入力・出力を行うようにしたが、図１の画像保存装置３との間で医用画像及び付帯情報の入力・出力を行うようにしてもよいことは勿論であり、また、入力を他の画像情報処理装置２から行い、出力を画像保存装置３に行うようにしてもよい。
【００７１】
また、図１において、画像情報処理装置４は、更に別の病院に設置された装置２，３と同様の別の装置に接続されて同様の入力・出力を行うようにしてもよいことは勿論である。
【図面の簡単な説明】
【００７２】
【図１】本実施の形態による画像情報処理装置を含む医用画像情報処理システムを概略的に示すブロック図である。
【図２】図１の画像情報処理システムで扱う画像情報の構成を模式的に示す図である。
【図３】ＤＩＣＯＭ規格による患者情報・検査情報の階層構造を模式的に示す図である。
【図４】図１の画像情報処理装置の動作を説明するためのフローチャートである。
【図５】図１の画像情報処理装置の別の動作を説明するためのフローチャートである。
【符号の説明】
【００７３】
２ 画像情報処理装置（他の装置）
３ 画像保存装置（他の装置）
４ 画像情報処理装置
１１ 受信入力・保存部
１２ 比較・修正方法設定部
１３ 表示部
１４ 情報比較・修正部
１６ 変更前情報保存部
【図１】
2006192057.tif 000003
【図２】
2006192057.tif 000004
【図３】
2006192057.tif 000005
【図４】
2006192057.tif 000006
【図５】
2006192057.tif 000007